(57)【要約】【課題】施肥機の給送パイプと干渉することがないと共に、軽量かつ安価な植付部フレームを備えた乗用移植機を提供する。【解決手段】乗用田植え機１の後方には施肥機６が設けられていると共に、植付部９が昇降リンク７を介して取付けられている。植付部９には構造部材として植付部フレーム１７が配設されており、その断面外郭形状は矩形状の前方下部を切欠いた形状をしている。また、植付部フレーム１７の前方には施肥機６の給送パイプ１９が通っており、植付部フレーム１７の切欠き部において後方に湾曲している。また、植付部フレーム１７は切欠き部に分割片を取付けることもできる。【選択図】図１
2009142158.tif 000002
【特許請求の範囲】
【請求項１】
植付部の伝動ケースを取付ける植付部フレームを備えた乗用移植機において、
前記植付部フレームは、全長に亘って同一断面外郭形状からなり、かつ該断面外郭形状は矩形状の前方下部を切欠いた切欠き部を有してなる、
ことを特徴とした乗用移植機。
【請求項２】
前記植付部フレームの切欠き部に、分割片を固定してなる、
請求項１記載の乗用移植機。
【請求項３】
前記植付部フレーム及び前記分割片のどちらか一方に該分割片を取付けるための取付け溝を形成し、他方に該取付け溝に対応する取付け部を設け、
該取付け部を前記取付け溝に沿ってスライドさせて差し込むことによって、前記植付部フレームに前記分割片を取付けてなる、
請求項２記載の乗用移植機。
【発明の詳細な説明】
【技術分野】
【０００１】
本発明は、例えば乗用田植え機などの乗用移植機に関し、詳しくは機体後部に設けられた植付部のフレーム構造に関する。
【背景技術】
【０００２】
従来、植付部に断面略正方形の角パイプからなる植付部フレームを備え、構造部材としての該植付部フレームに、伝動ケースなどの各種部材を取付けた乗用移植機が案出されている（特許文献１参照）。
【特許文献１】特許第３２５７９５６号公報
【発明の開示】
【発明が解決しようとする課題】
【０００３】
上述した植付部フレームの外周には、ボルトを取付けるための取付溝が形成されており、断面略正方形の形状と相俟って、その外周面に容易に伝動ケースなどの各種部材を取付けることができるが、図９に示すように、施肥を行う施肥機６を取付けると、肥料を給送する給送ホース１９と該植付部フレーム４５の角部とが干渉して上記給送ホース１９が大きく曲がり、その湾曲部において給送された肥料が詰まってしまうことがあった。
【０００４】
また、植付部フレームは、上記給送ホースと干渉する角部近傍のように本来必要のない部分までも上記部材を取付ける取付け面となっており、その分だけ重量が重くなり、コストも高くなってしまっていた。
【０００５】
そこで、本発明は、植付部フレームの断面外郭形状を矩形状の前方下部を切欠いた形状とすることによって、上記課題を解決した乗用移植機を提供することを目的とする。
【課題を解決するための手段】
【０００６】
請求項１に係る発明は、植付部（９）の伝動ケース（１３）を取付ける植付部フレーム（１７，３０，３６，４２）を備えた乗用移植機（１）において、
前記植付部フレーム（１７，３０，３６，４２）は、全長に亘って同一断面外郭形状からなり、かつ該断面外郭形状は矩形状の前方下部を切欠いた切欠き部（２４，３１）を有してなる、
ことを特徴とした乗用移植機にある。
【０００７】
請求項２に係る発明は、前記植付部フレーム（１７，３０，３６，４２）の切欠き部（２４，３１）に、分割片（３２，３３，３７，４０，４３）を固定してなる、
請求項１記載の乗用移植機にある。
【０００８】
請求項３に係る発明は、前記植付部フレーム（１７，３０，３６，４２）及び前記分割片（３２，３３，３７，４０，４３）のどちらか一方に該分割片（３２，３３，３７，４０，４３）を取付けるための取付け溝（３０ａ）を形成し、他方に該取付け溝（３０ａ）に対応する取付け部（３２ａ，４０ａ）を設け、
該取付け部（３２ａ，４０ａ）を前記取付け溝（３０ａ）に沿ってスライドさせて差し込むことによって、前記植付部フレーム（１７，３０，３６，４２）に前記分割片（３２，３３，３７，４０，４３）を取付けてなる、
請求項２記載の乗用移植機にある。
【０００９】
なお、括弧内の符号等は、図面と対照するためのものであるが、これにより特許請求の範囲に何等影響を及ぼすものではない。
【発明の効果】
【００１０】
請求項１に係る発明によると、施肥機を装着した際にその給送ホースと干渉する植付部フレームの前方下部を切欠いた形状とすることによって、給送ホースの曲がりを最小限にし、円滑に肥料を給送することができる。また、植付部フレームを軽量に構成することができ、その製造コストも安くなる。
【００１１】
請求項２に係る発明によると、植付部フレームの切欠き部に分割片を追加することによって、軽量かつ高強度の植付部フレームとすることができると共に、取付け面の必要な部分に取付け面を形成したり、植付部フレームの重量バランスを調整したりすることもできる。
【００１２】
請求項３に係る発明によると、植付部フレーム及び分割片のどちらか一方に形成された付け溝と、他方に形成された取付け部とをスライドさせて取付けることによって、分割片の取付け位置を任意に調整することができ、それにより、各植付部フレームごとに強度や重量バランスなどの微調整をすることができる。また、植付部フレームは軽合金の引抜き加工によって製造されているため、容易に製造することができる。
【発明を実施するための最良の形態】
【００１３】
以下に本発明に係る乗用移植機について、図面に基づいて説明する。
【００１４】
＜実施形態１＞
図１に示すように、本発明に係る乗用移植機としての乗用田植え機１は、前輪２及び後輪３に支持された走行機体５を有しており、その機体後方には苗の植付と同時に施肥を行う施肥機６が設けられている。また、走行機体５の後方には昇降リンク７を介して植付部９が取付けられており、該昇降リンク７は、植付部９のホルダフレーム１０に脱着自在に装着されている。
【００１５】
上記植付部９は、マット苗を載置する苗載せ台１１から、植付装置１２により苗を掻きとって圃場に移植しており、該植付装置１２はエンジンからの動力が植付ＰＴＯ軸１４を介して入力されるプランタケース（伝動ケース）１３の先端に回転自在に取付けられている。上記プランタケース１３の下方には、圃場面を滑走するフロート１５が配設されていると共に、フロート１５の側方には施肥機６からの肥料を吐出するノズル１６が位置している。
【００１６】
また、上記昇降リンク７が脱着自在に取付けられているホルダフレーム１０にはローリング支軸（不図示）を介して植付部フレーム１７が左右に傾斜自在に支持され、該植付部フレーム１７の前方（以下、機体を中心に方向を考え、その進行方向を前方とする）には、上述した施肥機６とノズル１６とを接続し、粒状、ペースト状、粉状などの肥料を給送する給送ホース１９が通っている。
【００１７】
更に、植付部フレーム１７の外周面（前面、上面、下面、背面）は部材の取付け面となっており、取付ブラケット２０を介してプランタケース１３が取付けられたり、ローリング支持を取付けるブラケット２１（図３（ａ）参照）や給送ホース１９の固定部材２２が固設されたり、苗載せ台１１の支持ステー２３が立ち上がったりしている。なお、植付部フレーム１７の外周面にはボルト（固定金具）取付けのための溝２５（図２（ａ）参照）が形成されている。
【００１８】
上述した植付部フレーム１７は、アルミニウム合金の引き抜き部材から構成され、全長に亘って同一断面形状をしており、その断面外郭形状は、特に図２（ａ）に示すように、２つの直交する長辺２６ａ，２６ｂと、一方の長辺とは直交し、他方の長辺とは平行な２つの短辺２６ｃ，２６ｄとを有し、この２つの短辺間を１つの傾斜辺２６ｅによって連結した５角形をしている。
【００１９】
植付部フレーム１７は、上記傾斜辺２６ｅが前方下部に位置するように取付けられ、断面矩形状の角パイプの前方下部を面取りした形状をしており、該面取り部分である切欠き部２４（該傾斜辺２６ｅからなる傾斜面の下方）には、一定の空間Ｓが形成されている。
【００２０】
上述した給送ホース１９は、植付部フレーム１７の下部近傍において機体後方に向って湾曲しており、給送ホース１９は該湾曲部２７において上記空間Ｓを通ってノズル１６と接続している。それにより、給送ホース１９は最も曲がりの少ない形で配設され、上記湾曲部２７において肥料が詰まりにくい構成となっている。また、上記植付部フレーム１７はその内周に中空部を有する中空構造をしており、上記角パイプの前方下部を面取りした形状をしていることと相俟って、その強度を保ちつつ軽量に構成されている。なお、植付部フレーム１７の下方には給送ホース１９のみならず植付ＰＴＯ軸１４なども配設されている。
【００２１】
以下に本実施形態に係る乗用田植え機の作用について説明する。
【００２２】
作業者は、施肥機６に肥料を補充すると田植え機１に乗り込んで、植え付け装置１２によって圃場面に苗を移植すると同時に施肥機６によって施肥を行う。施肥機６に供給された肥料は、給送ホース１９内部を通ってノズル１６まで給送され、該ノズル１６によって圃場の土中に注入される。
【００２３】
上記給送ホース１９は、植付部フレーム１７の下部近傍において後方に湾曲しているが、該給送ホース１９の湾曲部２７は上記空間Ｓを通ってその曲がりを最小限にしており、施肥機６から供給される肥料は該湾曲部２７で詰まることなく円滑に流れてノズル１６から圃場に吐出される。
【００２４】
上記のように乗用田植え機を構成したことによって、給送ホース１９は湾曲部２７において空間部Ｓを通るため、その曲がりを最小限とすることができ、肥料を詰まらせることなく円滑に給送することができる。
【００２５】
また、植付部フレーム１７の前方下部を面取りした形状とすることによって、その強度を保ちつつ、軽量化を図ることができる。またその製造コストも安価なものとなる。
【００２６】
更に、植付部フレーム１７は、アルミニウム合金などの軽合金の引抜き部材によって製造されているため、その製造が容易である。
【００２７】
＜実施形態２＞
図３及び図４は、本発明の実施形態２に係る乗用田植え機を示すものである。この実施の形態は、植付部フレームの切欠き部にフレーム片（以下、分割片という）を取付けられるように構成したものであり、以下に実施形態１の構成と相違する部分について説明する。
【００２８】
図３（ａ），（ｂ）に示すように、植付部フレーム３０はアルミ合金の引き抜き部材であり、その断面外郭形状は全長に亘って、矩形状の断面の前方下部を矩形に切欠いたＬ字型を１８０度回転させた形状をしている。また、図４（ａ），（ｂ）に示すように、切欠き部３１には、分割片３２が取付け可能に構成されており、該分割片３２が取付けられた植付部フレーム３０の断面外郭形状は、矩形状となっている。
【００２９】
上記植付部フレーム３０の切欠き部３１の周面には分割片３２を取付けるための取付け溝であるアリ溝３０ａ，３０ａが形成されていると共に、分割片３２の外周面にはそれと対応する形の取付け部であるアリ３２ａが形成されており、これらアリ溝３０ａとアリ３２ａが嵌合することによって、分割片３２が植付部フレーム３０に取付けられている。
【００３０】
図３（ａ），（ｂ）に示すように、植付部フレーム３０はその切欠き部３１が前方下部に位置するように配設されており、該植付部フレーム３０の全長よりも短い複数の分割片３２が、強度が必要となりかつ、給送ホース１９の通らない部分にのみ取付けられている。上記給送ホース１９は切欠き部３１によって形成された空間Ｓを通り、湾曲部２７においてその曲がりが最も少なくなるように配設されている。
【００３１】
上記植付部フレーム３０は、分割片３２を強度の必要な部分にのみ取付けることによって、強度を保ちつつ軽量に構成することができ、同時に製造コストの削減を図ることもできる。また、切欠き部３１によって形成された空間Ｓにより、給送ホース１９を最小限の曲がりで配設することができ、肥料を詰まらせることなく円滑に給送できる。
【００３２】
更に、分割片３２の取付け部３２ａを植付部フレーム３０の取付け溝３０ａに沿ってスライドさせて、植付部フレーム３０に分割片３２を取付けることによって、分割片３２を容易に脱着させることができると共に、その位置を任意に調整することもできる。
【００３３】
なお、分割片は実施形態１の形状の植付部フレーム１７にも取付けることができ、図５に示すように分割片３３を連結プレート３４を介してボルト３５によって取付けたり、実施形態２のように取付け溝に取付け部を嵌挿して取付けたりしてもよい。
【００３４】
また、分割片を植付部フレームと同一の部材であるアルミ合金でなく、例えば、鋼鉄などの鉄系の部材で構成することによって、植付部フレームの強度をより高めたり、樹脂などで構成することによって、曲げ方向に対してダンピングなどの効果を得たりすることもできる。
【００３５】
次に、別形態の分割片の取付けについて説明をする。
【００３６】
＜実施形態３＞
図６は、実施形態２とは異なる植付部フレーム３６への分割片３７の取付け形態を示したものであり、該植付部フレーム３６の切欠き部３８にはボルト穴３６ａが設けられている。分割片３７は、その内部に設けられた貫通孔３７ａにボルト３９を挿通されており、該ボルト３９が上記植付部フレーム３６のボルト穴３６ａに螺合することによって植付部フレーム３６に取付けられている。
【００３７】
上記ボルト穴３６ａは、植付部フレーム３６の重量バランスを調整可能な位置に設けられており、分割片３７を植付部フレーム３６に取付けることによって、その重量バランスを調整することができる。
【００３８】
＜実施形態４＞
図７は、実施形態２において、分割片４０をボルト４１によって任意の位置で係止して、重量バランスの乱れを調節することができるように構成したものであり、植付フレーム３０の取付け溝３０ａに分割片４０の取付け部４０ａを嵌合させ、分割片４０を該取付け溝３０ａに沿ってスライドさせることによって取付けている。
【００３９】
上記分割片４０には、取付け部４０ａ，４０ａと対応した位置にボルト４１，４１が嵌挿されており、該ボルト４１を締め付けることによって、分割片４０を任意の位置で固定することができる。これにより、分割片４０を最適位置で固定することができ、植付部フレーム３０の微妙なバランスの調整をすることができる。
【００４０】
＜実施形態５＞
図８は、用途に応じた形状の分割片４３を取付けることによって、植付部フレームの共通化を図ったものであり、取付け溝４２ａと取付け部４３ａとを嵌合させることによって、５条及び６条兼用の植付部フレーム４２に分割片４３を取付けて、８条用の植付部フレームを構成している。
【００４１】
このように、分割片の形状を用途に応じて変えることによって、植付部フレームの共通化を図ることができ、コストを軽減すことができる。なお、上記実施形態１乃至５の分割片は必ずしも取付け部の断面外郭形状が矩形になるように形成する必要はなく、用途に応じてＬ字型や、矢印型など様々な形状にしてもよい。
【００４２】
また、上述した実施形態１乃至５の植付部フレーム及び分割片の形状は、その実施の形態に限るものではなく、他の実施形態の植付部フレームを相互に利用してもよい。更に、分割片の固定方法もボルト固定の他に、焼き嵌め、圧入、溶接などの様々な方法で固定してもよい。
【図面の簡単な説明】
【００４３】
【図１】本発明の実施形態１に係る乗用田植え機の側面図。
【図２】（ａ）本発明の実施形態１の植付部フレームの側面図、（ｂ）本発明の実施形態１に係る植付部の側面図。
【図３】（ａ）本発明の実施形態２における植付部フレームと給送パイプとの関係を示す正面図、（ｂ）本発明の実施形態２に係る植付部の断面図。
【図４】（ａ）本発明の実施形態２の植付部フレームと分割片を示す断面図、（ｂ）本発明の実施形態２の植付部フレームに分割片を取付けた状態を示す断面図。
【図５】本発明の実施形態１の植付部フレームに分割片を取付けた状態を示す断面図。
【図６】（ａ）本発明の実施形態３の植付部フレームと分割片を示す断面図、（ｂ）本発明の実施形態３の植付部フレームに分割片を取付けた状態を示す断面図。
【図７】（ａ）本発明の実施形態４の植付部フレームと分割片を示す断面図、（ｂ）本発明の実施形態４の植付部フレームに分割片を取付けた状態を示す断面図。
【図８】（ａ）本発明の実施形態５の植付部フレームと分割片を示す断面図、（ｂ）本発明の実施形態５の植付部フレームに分割片を取付けた状態を示す断面図。
【図９】施肥機を取付けた、従来の乗用田植え機の側面図。
【符号の説明】
【００４４】
１      乗用田植え機（乗用移植機）
９      植付部
１３    プランタケース（伝動ケース）
１７    植付部フレーム
２４    切欠き部
３０    植付部フレーム
３０ａ  取付け溝
３１    切欠き部
３２    分割片
３２ａ  取付け部
３３    分割片
３６    植付部フレーム
３７    分割片
３８    切欠き部
４０    分割片
４０ａ  取付け部
４２    植付部フレーム
４３    分割片
【図１】
2009142158.tif 000003
【図２】
2009142158.tif 000004
【図３】
2009142158.tif 000005
【図４】
2009142158.tif 000006
【図５】
2009142158.tif 000007
【図６】
2009142158.tif 000008
【図７】
2009142158.tif 000009
【図８】
2009142158.tif 000010
【図９】
2009142158.tif 000011